(57)【特許請求の範囲】
【請求項１】
上昇位置から落下位置へと自重により落下可能な可動演出体と、該可動演出体を前記落下位置から前記上昇位置へと上昇させる昇降体とを備えた遊技機において、
前記昇降体は前記可動演出体に係脱自在に係合する上昇用係合手段を備え、
前記可動演出体が前記上昇位置まで上昇したときに該可動演出体に係脱自在に係合して前記上昇位置に保持する上昇位置保持手段を備え、
前記可動演出体は前記上昇位置と前記落下位置との間の中段上昇位置で前記上昇用係合手段が離脱したときに前記中段上昇位置から自重により落下可能である
ことを特徴とする遊技機。
【請求項２】
前記上昇用係合手段は前記可動演出体に係脱する係合体と、
該係合体を係脱駆動する係脱駆動手段とを備えた
ことを特徴とする請求項１に記載の遊技機。
【請求項３】
前記上昇用係合手段は前記係合体を係合方向に付勢する付勢手段を備え、
前記係合体は前記昇降体が前記可動演出体よりも下に下降するときに前記可動演出体に接触して該係合体を前記付勢手段に抗して離脱方向に後退させるための案内部を有する
ことを特徴とする請求項２に記載の遊技機。
【請求項４】
画像表示手段の遊技画像を表示する画像表示部の前側で自重により落下する前記可動演出体を備え、
該可動演出体を自重により落下可能に案内する第１案内手段と、前記昇降体と、該昇降体を昇降自在に案内する第２案内手段とを前記画像表示部の左右両側に備えた
ことを特徴とする請求項１〜３の何れかに記載の遊技機。
【発明の詳細な説明】
【技術分野】
【０００１】
本発明は、パチンコ機、アレンジボール機、スロットマシン等の遊技機に関し、可動演出体による演出時に変化に富んだ自由度の高い自由落下演出を行えるようにしたものである。
【背景技術】
【０００２】
例えばパチンコ機等の弾球遊技機には、遊技盤の遊技領域の略中央部に配置された画像表示手段に可動演出役物を組み込み、画像表示手段の画像表示部に表示される演出画像と、その画像表示部の前面側で上昇位置から落下位置へと自由落下する可動演出役物の可動演出体との組み合わせにより、特定の遊技状態を演出するようにしたものがある（特許文献１）。
【０００３】
この可動演出役物は、画像表示部の前側に配置された可動演出体を備え、画像表示部の左右両側に、可動演出体を昇降自在に案内する案内手段と、可動演出体を上昇位置でロックするロック手段と、案内手段に沿って昇降し且つ可動演出体を落下位置から上昇位置へと上昇させる昇降体と、昇降体が所定位置まで下降したときにロック手段のロックを解除する解除手段とを備えている。
【０００４】
そして、通常の遊技状態のときには、画像表示部の上側の上昇位置で可動演出体をロック手段によりロックしておき、特定の遊技状態になったときに、昇降体が下降して解除手段を操作し、この解除手段を介してロック手段による可動演出体の上昇位置でのロックを解除して、画像表示部の演出画像の表示と同期して可動演出体を上昇位置から落下位置へと自由落下させている。
【先行技術文献】
【特許文献】
【０００５】
【特許文献１】特開２０１１−２２４０７７号公報
【発明の概要】
【発明が解決しようとする課題】
【０００６】
従来の可動演出役物では、画像表示部の演出画像の表示に同期して可動演出体が自由落下により急速に落下するため、モータの駆動によって可動演出体が落下する場合に比較して可動演出体の落下速度が速くなり、演出画像と組み合わせた演出態様によっては効果的な演出を行える利点がある。
【０００７】
しかし、従来の可動演出役物は、上昇位置でロック手段により可動演出体をロックしておき、昇降体が所定位置まで下降したときに解除手段を介してロック手段のロックを解除して可動演出体を落下位置へと落下させているため、可動演出体を自由落下させるためには、その可動演出体を必ず上昇位置まで上昇させる必要がある。
【０００８】
従って、可動演出体による落下演出時には、可動演出体が常に一定の上昇位置から一定の落下位置へと自然落下するのみの単純な落下動作となって、モータ等の駆動により可動演出体を昇降させる場合に比較して、可動演出体の落下動作自体が非常に変化に乏しいものとなる欠点がある。
【０００９】
また仮に可動演出体の自由落下に同期して画像表示部の演出画像を変化させるにしても、可動演出体が一定の上昇位置と落下位置との間で画一的に自由落下を繰り返すため、演出の自由度が低下するという問題がある。
【００１０】
本発明は、このような従来の問題点に鑑み、必要に応じて上昇位置よりも下側の中段上昇位置からも可動演出体を自重により落下させることができ、可動演出体の演出時に変化に富んだ落下演出を行うことができる遊技機を提供することを目的とする。
【課題を解決するための手段】
【００１１】
本発明は、上昇位置Ａから落下位置Ｂへと自重により落下可能な可動演出体２４と、該可動演出体２４を前記落下位置Ｂから前記上昇位置Ａへと上昇させる昇降体５７とを備えた遊技機において、前記昇降体５７は前記可動演出体２４に係脱自在に係合する上昇用係合手段６１を備え、前記可動演出体２４が前記上昇位置Ａまで上昇したときに該可動演出体２４に係脱自在に係合して前記上昇位置Ａに保持する上昇位置保持手段２８を備え、
前記可動演出体２４は前記上昇位置Ａと前記落下位置Ｂとの間の中段上昇位置Ｄ，Ｅで前記上昇用係合手段６１が離脱したときに前記中段上昇位置Ｄ，Ｅから自重により落下可能にしたものである
【００１２】
前記上昇用係合手段６１は前記可動演出体２４に係脱する係合体６３と、該係合体６３を係脱駆動する係脱駆動手段６４とを備えたものでもよい。前記上昇用係合手段６１は前記係合体６３を係合方向に付勢する付勢手段６５を備え、前記係合体６３は前記昇降体５７が前記可動演出体２４よりも下に下降するときに前記可動演出体２４に接触して該係合体６３を前記付勢手段６５に抗して離脱方向に後退させるための案内部６３ａを有するものでもよい。
【００１３】
画像表示手段１０の遊技画像を表示する画像表示部１６の前側で自重により落下する前記可動演出体２４を備え、該可動演出体２４を落下可能に案内する第１案内手段２５と、前記昇降体５７と、該昇降体５７を昇降自在に案内する第２案内手段２７とを前記画像表示部１６の左右両側に備えたものでもよい。
【発明の効果】
【００１４】
本発明によれば、必要に応じて手上昇位置よりも下側の中段上昇位置からも可動演出体を自重により落下させることができ、可動演出体の演出時に変化に富んだ落下演出を行うことができる利点がある。
【図面の簡単な説明】
【００１５】
【図１】本発明の第１の実施例を示すパチンコ機の正面図である。
【図２】同遊技盤の平面断面図である。
【図３】同画像表示部の説明図である。
【図４】同可動演出役物の斜視図である。
【図５】同画像表示手段及び可動演出役物の正面図である。
【図６】同可動演出役物の要部の正面断面図である。
【図７】同可動演出役物の上昇駆動手段側の側面図である。
【図８】同可動演出役物の中段落下位置停止手段側の断面図である。
【図９】同上昇位置保持手段の一部破断平面図である。
【図１０】同上昇位置保持手段の断面図である。
【図１１】同上昇駆動手段側の平面断面図である。
【図１２】同上昇駆動手段側の側面断面図である。
【図１３】同上昇駆動手段側の斜視図である。
【図１４】同制御系のブロック図である。
【図１５】同動作説明用のタイムチャートである。
【図１６】同動作説明図である。
【図１７】本発明の第２の実施例を示す可動演出役物の正面断面図である。
【図１８】本発明の第３の実施例を示す中段落下位置停止手段の正面図である。
【図１９】同断面図である。
【図２０】本発明の第４の実施例を示す中段落下位置停止手段の断面図である。
【発明を実施するための形態】
【００１６】
以下、本発明の実施形態を図面に基づいて詳述する。図１〜図１６は本発明をパチンコ機に採用した第１の実施形態を例示している。このパチンコ機は、図１に示すように矩形状の外枠１と、この外枠１の前側にヒンジ（図示省略）により縦軸廻りに開閉自在に枢着された前枠２とを備えている。前枠２の前側にはガラス扉３と前面板４とが上下に配置され、前枠２に対して同じ側のヒンジ（図示省略）により縦軸廻りに開閉自在に枢着されている。
【００１７】
前面板４の前側には発射用の遊技球を貯留する球貯留皿５が配置され、その側方に遊技球を発射する発射手段（図示省略）の発射ハンドル６が設けられている。ガラス扉３の裏側には、このガラス扉３に対応するように前枠２に遊技盤７が着脱自在に装着されている。
【００１８】
遊技盤７の前面には、発射手段から発射された遊技球を案内するガイドレール８が円弧状に配置されると共に、そのガイドレール８の内側の遊技領域９に画像表示手段１０、普通図柄始動手段１１、特別図柄始動手段１２、大入賞手段１３、普通入賞手段１４等の各種の遊技部品が配置されている。
【００１９】
画像表示手段１０は、図１、図２に示すように遊技領域９の略中央に配置されており、遊技盤７の裏面に装着された支持枠１５と、この支持枠１５の略中央に取り付けられた液晶式、プラズマ式等の画像表示部１６と、遊技盤７の前面に装着され且つ画像表示部１６の外周側を前側から覆う前飾り枠１７とを備えている。前飾り枠１７は画像表示部１６に対応する表示窓１８を有する。画像表示手段１０には画像表示部１６の左右両側に配置された可動演出役物１９が支持枠１５に装着され、また普通図柄表示手段２０と特別図柄表示手段２１とが前飾り枠１７の前面に配置されている。
【００２０】
普通図柄表示手段２０は普通図柄を変動表示するためのもので、複数種類の普通図柄（例えば２種類の「○」「×」）に対応する複数個の発光素子により構成されており、普通図柄始動手段１１が遊技球を検出することを条件に２つの発光素子が所定時間交互に点滅して、普通図柄始動手段１１の遊技球の検出時に抽選した乱数値が予め定められた当たり判定値と一致した場合に当たり態様の「○」側の発光素子が点灯し、それ以外の場合に外れ態様の「×」側の発光素子が点灯して停止するようになっている。
【００２１】
特別図柄表示手段２１は、１個又は複数個、例えば１個の特別図柄を変動表示可能な７セグメント式等の表示手段により構成されており、特別図柄始動手段１２が遊技球を検出することを条件に特別図柄を所定時間変動表示して、特別図柄始動手段１２の遊技球の検出時に抽選された乱数値が予め定められた特別遊技乱数値と一致した場合に所定の特別遊技態様で、それ以外の場合に外れ態様で停止するようになっている。
【００２２】
画像表示部１６は矩形状、その他の形状であって、図３に示すように遊技中は演出図柄２２ａ〜２２ｃとその背景画像２３とを発光表示し、また特定の遊技状態になったときには、図１に示すように可動演出役物１９の演出動作と同期して予告演出画像３７を発光表示する。
【００２３】
演出図柄２２ａ〜２２ｃは画像表示部１６の適当な位置に複数個、例えば３個表示され、その各演出図柄２２ａ〜２２ｃは特別図柄表示手段２１の特別図柄の変動に同期して変動を開始し、所定の変動パターンを経て所定時間変動した後、特別図柄の変動終了に同期して所定の順序で順次停止する。
【００２４】
そして、演出図柄２２ａ〜２２ｃの変動後の停止図柄は、特別図柄表示手段２１の特別図柄が特別遊技態様で停止する場合には全てが揃う特別遊技演出態様となり、特別図柄が外れ態様で停止する場合には少なくとも一部が異なる外れ演出態様となる。例えば、特別図柄が特別遊技態様で停止する場合には、演出図柄２２ａ〜２２ｃは「７・７・７」等で停止し、特別図柄が外れ態様で停止する場合には演出図柄２２ａ〜２２ｃは「３・４・５」等で停止する。
【００２５】
特別図柄始動手段１２は固定式入賞口１２ａと電動チューリップ等の可変式入賞口１２ｂとを上下に備えている。固定式入賞口１２ａは一定幅で開口しており、また可変式入賞口１２ｂは普通図柄表示手段２０の変動後の普通図柄が当たり態様を停止表示したときに所定時間開放して、固定式入賞口１２ａよりも遊技球が入賞し易くなる。
【００２６】
可動演出役物１９は、図１、図２、図４、図５に示すように、画像表示部１６の前側に左右方向に配置された可動演出体２４と、可動演出体２４を上昇位置（退避位置）Ａと下段落下位置Ｂとの間で昇降自在に案内する第１案内手段２５と、可動演出体２４を第１案内手段２５に沿って下段落下位置Ｂ又は中段落下位置Ｃから上昇位置Ａ又は中段上昇位置Ｄ，Ｅへと上昇させる上昇駆動手段２６と、上昇駆動手段２６を昇降自在に案内する第２案内手段２７と、画像表示部１６の上側に配置され且つ上昇駆動手段２６により上昇した可動演出体２４を上昇位置Ａで係脱自在に係止して保持する上昇位置保持手段２８と、可動演出体２４を下段落下位置Ｂで停止させる下段落下位置停止手段２９と、可動演出体２４を上昇位置Ａと下段落下位置Ｂとの間の中段落下位置Ｃで停止させる中段落下位置停止手段３０と、可動演出体２４が中段落下位置Ｃで停止するときに中段落下位置停止手段３０に加わる衝撃を吸収する衝撃吸収手段３１とを備えている。
【００２７】
なお、第１案内手段２５、上昇駆動手段２６、第２案内手段２７、下段落下位置停止手段２９、中段落下位置停止手段３０、衝撃吸収手段３１は、可動演出体２４の左右両側部に対応して画像表示部１６の左右両側に配置されている。
【００２８】
可動演出体２４は、図１、図２、図４、図５に示すように、画像表示部１６の前側に近接して左右方向に配置された前後に偏平状の可動枠３２と、可動枠３２の左右両端に連結された摺動案内部３３と、可動枠３２の前面に設けられた演出部３４とを有する。この可動演出体２４は、通常時には画像表示部１６の上側に退避する上昇位置Ａで上昇位置保持手段２８により係脱自在に係止されており、特定の遊技状態のときに画像表示部１６の前面下部の下段落下位置Ｂへと自由落下する等、その昇降による可動演出動作と画像表示部１６に表示される予告演出画像３７とを組み合わせて、その後の特別遊技状態の発生を予告演出するようになっている。
【００２９】
演出部３４には画像表示部１６に表示さる予告演出画像３７と調和する絵柄、形状、構造等の演出用装飾部が設けられている。例えば、「猿」を主題とした演出を行いながらゲームが進行するパチンコ機の場合であれば、図１に示すように演出部３４に「猿」の絵柄が付されており、画像表示部１６に樹木の予告演出画像３７が表示されたときに、その表示に同期して演出部３４を昇降させることにより、樹木に沿って猿が滑り降りたり登ったりする様子を演出するようになっている。なお、演出部３４は必要に応じて発光してもよいし、前後軸廻りに回転又は揺動するようにしてもよい。
【００３０】
画像表示手段１０の支持枠１５の前面には、図２、図４、図５に示すように、画像表示部１６の左右両側に配置された上下方向の取り付け台３５が装着され、その取り付け台３５の上端前部間に左右方向の支架材３６が設けられている。取り付け台３５は支持枠１５から前側に突出しており、その前側には画像表示部１６に近い側に第１案内手段２５が、遠い側に第２案内手段２７及び上昇駆動手段２６が夫々設けられ、両案内手段２５，２７間に中段落下位置停止手段３０及び衝撃吸収手段３１が上下に設けられている。また支架材３６と可動演出体２４との間には、左右方向の略中央部に上昇位置保持手段２８が設けられている。
【００３１】
第１案内手段２５は可動演出体２４を昇降自在に案内して、上昇位置保持手段２８が上昇位置Ａでの可動演出体２４の保持を解除したときに可動演出体２４の自重により自由落下させるためのものである。この第１案内手段２５は、図６〜図８に示すように、取り付け台３５から突出する上下一対の突出部３８と、この突出部３８の前端部間に上下方向に設けられ且つ可動演出体２４の摺動案内部３３に上下方向に相対摺動自在に挿通された案内棒３９とを有し、画像表示部１６の左右両側に上下方向に配置されている。
【００３２】
第１案内手段２５の下端部の突出部３８上には、弾性体４０を有する下段落下位置停止手段２９が設けられている。弾性体４０は突出部３８上に装着されたゴム等からなり、可動演出体２４の摺動案内部３３が下段落下位置Ｂで当接して停止するときの衝撃を吸収するようになっている。
【００３３】
上昇位置保持手段２８は上昇駆動手段２６により可動演出体２４が上昇位置Ａまで上昇したときに、その可動演出体２４に係脱自在に係合して上昇位置Ａに保持するためのものであり、可動演出体２４の左右方向の略中央で可動演出体２４と支架材３６との間に設けられている。この上昇位置保持手段２８は、図９、図１０に示すように、可動演出体２４に設けられた被係合部４２と、支架材３６に設けられ且つ裏側から被係合部４２に係脱自在に係合する係合体４３と、支架材３６に設けられ且つ連動部材４４を介して係合体４３を係脱駆動する係脱駆動手段４５と、係合体４３を係合方向に付勢する付勢手段４６とを有する。
【００３４】
被係合部４２は可動枠３２の上側に突出する突部４７に前後方向の開口状に設けられている。係合体４３は支架材３６上の箱状の収容部４８により前後方向に出退自在に収容され、収容部４８内の付勢手段４６を構成するバネ４６ａにより被係合部４２に係合する突出方向に付勢されている。バネ４６ａは収容部４８の突起４９により位置決めされている。係合体４３の前端には傾斜面状の案内部４３ａがあり、可動演出体２４が上昇位置Ａまで上昇するときに、この案内部４３ａが突部４７と接触して係合体４３をバネ４６ａに抗して後退させるようになっている。
【００３５】
係脱駆動手段４５は支架材３６の裏面に左右方向に配置されたソレノイド５０により構成され、このソレノイド５０の可動鉄心５０ａと係合体４３との間に連動部材４４が設けられている。連動部材４４はベルクランク状であり、中間部が縦方向の枢軸５１により支架材３６に揺動自在に枢支されており、その一端が可動鉄心５０ａに、他端がピン状の連結部５２を介して係合体４３に夫々連結されている。連結部５２は収容部４８の上側の切り欠き部４８ａを経て係合体４３の左右方向の長孔５３に係合している。
【００３６】
第２案内手段２７は上昇駆動手段２６を昇降自在に案内するためのもので、図６、図７、図１１に示すように、取り付け台３５の前面に第１案内手段２５の案内棒３９と略平行に設けられた昇降案内部５５を有し、その昇降案内部５５に上下方向の案内孔５５ａが設けられている。
【００３７】
上昇駆動手段２６は第２案内手段２７の案内により昇降して、その上昇時に下段落下位置Ｂ又は中段落下位置Ｃで停止中の可動演出体２４を第１案内手段２５に沿って上昇位置Ａ又は中段上昇位置Ｄ，Ｅへと駆動して上昇させる機能と、可動演出体２４を上昇位置Ａ、中段上昇位置Ｄ，Ｅ等から下方へと下降させて下降演出を行わせる機能とを有する。下降演出時の可動演出体２４の下降速度を含む上昇駆動手段２６の昇降速度は、後述の昇降駆動モータ６０の回転速度によって決まる。
【００３８】
なお、下降演出時の可動演出体２４の下降速度はその自由落下に比較してゆっくりとした遅い下降速度となるが、その可動演出体２４の下降量が大のときには速くし、下降量が小のときには遅くする等、可動演出体２４の下降量（動き量）の大小に応じて複数段階に変化させるようにしてもよい。勿論、複数段階の変化であれば、下降量が小のときに早くする等、逆でもよい。更に下降開始直後に比較して停止直前の下降速度を遅くする等、下降演出の１動作中に下降速度を変化させてもよい。上昇駆動手段２６は可動演出体２４を上昇させるだけに利用してもよい。
【００３９】
この上昇駆動手段２６は、図６、図７、図１１〜図１３に示すように、取り付け台３５の昇降案内部５５に上下摺動自在に支持された昇降体５７と、昇降案内部５５に沿って取り付け台３５の前面に装着された上下方向のラック５８と、昇降体５７に設けられ且つラック５８と噛合するピニオン５９と、昇降体５７に設けられ且つピニオン５９を正逆転方向に駆動するステッピングモータ等の昇降駆動モータ６０と、昇降体５７に設けられ且つ可動演出体２４に係脱自在に係合する上昇用係合手段６１とを有する。
【００４０】
昇降体５７は画像表示部１６から遠い外側が開口する箱状であって、昇降案内部５５の前面に配置され、案内孔５５ａに裏側から挿入された押え体６２との間で昇降案内部５５を前後両側から挟むことにより、昇降案内部５５によって上下摺動自在に支持されている。昇降駆動モータ６０は昇降体５７内でその側壁５７ａに固定され、その側壁５７ａを貫通してラック５８側へと突出する回転軸６０ａを介してピニオン５９を駆動するようになっている。
【００４１】
上昇用係合手段６１は可動演出体２４の摺動案内部３３に係脱自在に係合して上昇駆動手段２６により可動演出体２４を上昇させたり、可動演出体２４を中段上昇位置Ｄ，Ｅ及び中段落下位置Ｃで可動演出体２４を停止状態に保持したりする一方、可動演出体２４の摺動案内部３３から離脱して可動演出体２４を自由落下させるためのものである。なお、中段上昇位置Ｄ，Ｅには第１中段上昇位置Ｄと第２中段上昇位置Ｅとがあるが、これは１箇所でもよいし、２箇所以上の複数箇所でもよい。また中段上昇位置Ｄ，Ｅはその一部又は全てが中段落下位置Ｃの上側でもよいし、下側でもよい。第１中段上昇位置Ｄ又は第２中段上昇位置Ｅは中段落下位置Ｃと同じでもよい。
【００４２】
この上昇用係合手段６１は可動演出体２４の摺動案内部３３から外側に突出する突出部３３ａの下側に係脱自在に係合する上昇用係合体６３と、この上昇用係合体６３を係脱方向に出退駆動する係脱駆動手段６４と、上昇用係合体６３を係合方向（突出方向）に付勢する付勢手段６５とを有する。上昇用係合体６３は昇降体５７の側壁５７ａに設けられた出退案内部５７ｂにより左右方向に摺動自在に支持されており、下降時に可動演出体２４の突出部３３ａにより操作されて付勢手段６５に抗して後退するための傾斜状の案内部６３ａを先端に有する。係脱駆動手段６４は昇降体５７内に固定されたソレノイド６６により構成され、その可動鉄心６６ａが側壁５７ａの開口を貫通して上昇用係合体６３に連結されている。付勢手段６５はソレノイド６６の可動鉄心６６ａを付勢するバネを利用してもよいし、別に設けてもよい。
【００４３】
取り付け台３５には、図６、図７に示すように、昇降案内部５５の上下両側に昇降体５７の上昇、下降を検出する上昇検出手段６７、下降検出手段６８が設けられており、その各検出手段６７，６８が昇降体５７の上下の被検出部６７ａ，６８ａを検出したときに昇降駆動モータ６０を停止させるようになっている。各検出手段６７，６８はフォトセンサ、その他の非接触式の検出スイッチにより構成されている。
【００４４】
なお、上昇用係合体６３は可動演出体２４に対して左右方向の外側方から係脱するが、裏側から係脱するものでもよい。左右の上昇駆動手段２６では、昇降体５７に対してラック５８及び上昇用係合体６３の位置が上下逆になっているが、左右同じにしてもよい。その場合、ラック５８と上昇用係合体６３の何れを上にしてもよい。
【００４５】
中段落下位置停止手段３０は落下する可動演出体２４を上昇位置Ａと下段落下位置Ｂとの間の中段落下位置Ｃで受止めて停止させ、また中段落下位置Ｃで停止する可動演出体２４を下段落下位置Ｂへと落下させるためのものである。この中段落下位置停止手段３０は、図５、図６、図８に示すように、第１案内手段２５と上昇駆動手段２６との間で取り付け台３５の前面に上下動自在に配置された縦長状の摺動枠６９と、この摺動枠６９に可動演出体２４に対して出退自在に設けられた停止用係合手段７０と、この停止用係合手段７０を可動演出体２４に対して出退させるための係脱駆動手段７１と、係脱駆動手段７１の駆動により摺動枠６９と停止用係合手段７０との間に進退し且つ進出時に停止用係合手段７０を可動演出体２４に対して係合可能な位置に操作する操作体７２とを備えている。
【００４６】
摺動枠６９は縦長状であって、上下両側の長孔７３に挿通する取り付け台３５の突部７４と、この突部７４に摺動枠６９の前側から固定され且つ取り付け台３５との間で摺動枠６９を挟む押え部７５とにより、長孔７３の範囲内で上下方向に摺動可能である。従って、中段落下位置停止手段３０は長孔７３の範囲内で上下方向に摺動可能である。
【００４７】
摺動枠６９は折り曲げ形成された左右一対の側壁部６９ａを有し、その左右の側壁部６９ａ間に可動演出体２４を停止させる停止用係合手段７０と、この停止用係合手段７０を出退操作する操作体７２と、この操作体７２を駆動する係脱駆動手段７１とが上下方向に配置されている。
【００４８】
停止用係合手段７０は縦長状の揺動係合体７７により構成されている。揺動係合体７７は上部側が側壁部６９ａ間に支架された枢軸７８により枢支されると共に、下部側に可動演出体２４用の係合部７７ａと傾斜部７７ｂとが設けられ、また枢軸７８と係合部７７ａとの間で且つ係合部７７ａと反対側にカム従動部７７ｃが設けられており、係合部７７ａが可動演出体２４の突出部３３ａに係合しない状態で枢軸７８から下方に垂下されている。係合部７７ａは可動演出体２４の摺動案内部３３に対して裏側から係脱自在である。
【００４９】
係脱駆動手段７１は側壁部６９ａ間で摺動枠６９に固定されたソレノイド７９を備え、下向きに突出する可動鉄心７９ａの下端に操作体７２が連結されている。操作体７２は側壁部６９ａ間で摺動枠６９により上下摺動自在に案内され、摺動枠６９と停止用係合手段７０との間に進退自在である。
【００５０】
操作体７２は停止用係合手段７０のカム従動部７７ｃに対応するカム部７２ａを有する。そして、停止用係合手段７０は、操作体７２が摺動枠６９と停止用係合手段７０との間に進出したときには、カム部７２ａ、カム従動部７７ｃを介して、図８に二点鎖線で示すように係合部７７ａが可動演出体２４に係合可能な位置へと回動する。また停止用係合手段７０は、可動演出体２４が係合部７７ａに係合した状態において、操作体７２が摺動枠６９と停止用係合手段７０との間から上側に後退したときには、図８に実線で示すように、可動演出体２４の重量により枢軸７８廻りに離脱方向（図８の時計方向）に回動する。なお、停止用係合手段７０は通常はその自重により図８の実線位置に垂下した状態にあり、可動演出体２４はこの停止用係合手段７０と接触することなく上昇方向へと通過することが可能である。
【００５１】
このように係脱駆動手段７１によりカム部７２ａ、カム従動部７７ｃを介して停止用係合手段７０を図８の二点鎖線位置に操作することにより、上昇位置Ａから自由落下する可動演出体２４を停止用係合手段７０によって中段停止位置Ｃに停止させることができる。このとき可動演出体２４の衝撃が停止用係合手段７０に加わっても、停止用係合手段７０と係脱駆動手段７１との間にカム部７２ａ、カム従動部７７ｃがあり、これらを介して摺動枠６９、取り付け台３５で受けるため、その衝撃がソレノイド７９に加わって停止用係合手段７０が可動演出体２４から外れるような不測自体の発生を防止できる。
【００５２】
取り付け台３５には、図６に示すように、上昇位置Ａの可動演出体２４を検出する第１検出手段８１、下段落下位置Ｂの可動演出体２４を検出する第２検出手段８２、中段落下位置Ｃの可動演出体２４を検出する第３検出手段８３が設けられており、その各検出手段８１〜８３が昇降体５７の被検出部８４を検出したときに昇降駆動モータ６０を停止させるようになっている。なお、各検出手段８１〜８３はフォトセンサ、その他の非接触式の検出スイッチにより構成されている。
【００５３】
衝撃吸収手段３１は、図６、図８に示すように、摺動枠６９の下端の折り曲げ部８５と取り付け台３５の受け部８６との間に介在されたバネ８７により構成され、摺動枠６９を上側に付勢している。受け部８６は摺動枠６９の下側で取り付け台３５にＵ字状に設けられている。この受け部８６は底部から上向きに突出する突起８６ａを有し、その突起８６ａにバネ８７が套嵌されている。
【００５４】
なお、第１案内手段２５、下段落下位置停止手段２９、中段落下位置停止手段３０、衝撃吸収手段３１は、取り付け台３５の前面に装着されたカバー１０５により前側から覆われている。また第１案内手段２５と中段落下位置停止手段３０及び衝撃吸収手段３１との間には、取り付け台３５から前側に突出して第１案内手段２５と中段落下位置停止手段３０等とを左右に分離する隔壁１０６が第１案内手段２５に沿って上下方向に設けられ、この隔壁１０６の前面近傍に可動演出体２４の突出部３３ａの先端が上下動自在に設けられている。
【００５５】
図１４はパチンコ機の制御系を示す。パチンコ機の制御系は主制御基板９０と演出制御基板９１とを備えている。主制御基板９０はパチンコ機全体の遊技動作の制御を司るもので、普通図柄始動手段１１が遊技球を検出したときに乱数値を抽選して当たりか否かを判定し、当たりの場合に普通図柄表示手段２０の変動後の普通図柄が当たり態様で停止した後に特別図柄始動手段１２の可変式入賞口１２ｂを所定時間開放させる普通図柄系制御手段９２の他に、乱数抽選手段９３、判定手段９４、特別図柄制御手段９５、停止態様決定手段９６、変動パターン決定手段９７、コマンド送信手段９８、特別遊技発生手段９９を備えている。
【００５６】
乱数抽選手段９３は特別図柄始動手段１２が遊技球を検出したときに乱数値を抽選し、判定手段９４は乱数抽選手段９３で抽選された乱数値を特別遊技乱数値と照合して特別遊技か否かを判定するようになっている。特別図柄制御手段９５は特別図柄始動手段１２の遊技球の検出を契機に特別図柄表示手段２１の特別図柄を所定時間変動させて、判定手段９４の判定結果が特別遊技のときに特別遊技態様で、外れのときに外れ態様で夫々停止すべく特別図柄を制御するようになっている。
【００５７】
停止態様決定手段９６は判定手段９４の判定結果が特別遊技のときに演出図柄２２ａ〜２２ｃの停止態様を抽選し決定するためのものである。変動パターン決定手段９７は判定手段９４の判定結果が特別遊技のときの特別遊技変動パターンを、外れのときの外れ変動パターンを抽選し決定するためのもので、判定手段９４の判定結果に応じて予め定められた複数種類の特別遊技変動パターン、外れ変動パターンの中から、そのときの演出図柄２２ａ〜２２ｃの変動に供する１つの変動パターンを選択し決定するようになっている。
【００５８】
特別遊技変動パターン、外れ変動パターンには変動時間の長短、演出図柄２２ａ〜２２ｃの変動中のリーチの有無等に応じて夫々複数の種類のものがある。例えば、特別遊技変動パターンには変動時間の違いによって特別遊技変動パターン１、特別遊技変動パターン２、特別遊技変動パターン３、・・・等のように多種類のパターンが準備されており、また外れ変動パターンには変動時間の違い、リーチの有無によってリーチあり外れ変動パターン１、リーチあり外れ変動パターン２、リーチなし外れ変動パターン１、リーチなし外れ変動パターン２、・・・等のように多種類のパターンが準備されている。
【００５９】
なお、一般的にリーチあり外れ変動パターンはリーチなし外れ変動パターンに比較して変動時間が長く、またリーチあり外れ変動パターンの一部である１種類又は複数種類は、特別遊技変動パターンの変動時間に近い変動時間を有するものがある。また変動時間の長い変動パターンの場合には、変動時間の短いリーチあり変動パターン、リーチなし変動パターンに比較して出現率は低いが、変動後に特別図柄が特別遊技態様となる信頼度が大になっている。
【００６０】
特別図柄制御手段９５は特別図柄始動手段１２の遊技球の検出を契機に特別図柄表示手段２１の特別図柄を変動させて、変動パターン決定手段９７で決定された変動パターンの変動時間に従って変動した後に、判定手段９４の特別遊技、外れの判定結果に応じて特別図柄を特別遊技態様、外れ態様の何れかで停止させるようになっている。コマンド送信手段９８は停止態様決定手段９６で決定された停止態様コマンド、変動パターン決定手段９７で決定された変動パターンコマンド、各変動パターン毎の変動停止コマンドを演出制御基板９１側へと一方向通信により送信するようになっている。
【００６１】
特別遊技発生手段９９は判定手段９４が特別遊技と判定した場合に、特別図柄が特別遊技態様で停止した後に遊技者に有利な特別遊技を発生させるためのもので、例えば大入賞手段１３を所定時間ずつ複数回開放させるようになっている。なお、特別遊技での大入賞手段１３の開閉パターン等は適宜決定することが可能である。また特別遊技では大入賞手段１３の開放に加えて、又は大入賞手段１３の開放とは別に、特別図柄の特別遊技態様の種類を条件に特別遊技の抽選確率を変える確率変動、その他の遊技者に有利な要素を付加してもよい。
【００６２】
演出制御基板９１は主制御基板９０から送信される各コマンドを解析して画像表示手段１０の画像表示部１６に表示される演出図柄２２ａ〜２２ｃ、背景画像２３、予告演出画像３７を制御し、また可動演出体２４の上昇、下降を制御するためのもので、コマンド受信手段１００、演出図柄制御手段１０１、予告演出決定手段１０２、演出画像制御手段１０３、可動演出制御手段１０４等を備えている。
【００６３】
コマンド受信手段１００はコマンド送信手段９８から演出制御基板９１側に送信される各コマンドを受信して解析するためのものである。演出図柄制御手段１０１は主制御基板９０からの変動パターンコマンドに従って特別図柄表示手段２１の特別図柄の変動に同期して演出図柄２２ａ〜２２ｃを所定の変動パターンで所定時間変動させて、停止コマンドがあったときに演出図柄２２ａ〜２２ｃを特別遊技演出態様又は外れ演出態様で停止させるようになっている。なお、３個の演出図柄２２ａ〜２２ｃは、特別図柄が特別遊技態様で停止する場合には全てが揃うように停止態様コマンドで指定された停止態様で停止し、それ以外の場合にはリーチの有無に応じて演出図柄制御手段１０１側で選択された停止態様で停止する。
【００６４】
予告演出決定手段１０２は特別遊技変動パターンの一部又は全てと、特別遊技変動パターンの変動時間に近い変動時間を有するリーチあり外れ変動パターンの一部である１種類若しくは複数種類又は全ての変動パターンコマンドがあったときに、その変動パターンコマンドを条件に乱数値を抽選して予告演出を行うか否か、予告演出を行うとした場合にその変動パターンコマンドに対応する複数種類、例えば第１予告演出パターンから第６予告演出パターンまでの何れで予告演出を行うのかを決定するようになっている。
【００６５】
第１〜第６予告演出パターンには、例えば図１５（ａ）〜（ｆ）に示すよう予告演出画像３７の表示時間が異なる第１〜第６予告演出画像表示パターンと、その予告演出画像３７に同期して可動演出体２４を可動演出動作させる第１〜第６可動演出パターンがある。６種類の各可動演出パターンは、予告演出画像３７の表示に同期して可動演出体２４が上昇、落下、停止等の可動演出動作を行うようになっている。
【００６６】
なお、各予告演出パターンでの予告演出画像３７、可動演出体２４による予告演出は、特別図柄の確定（演出図柄２２ａ〜２２ｃの停止）までに終了する。また特別遊技変動パターンの場合は外れ変動パターンよりも予告演出の抽選率が高くなるようにしてもよい。その場合、各変動パターン毎に抽選率を変えてもよい。
【００６７】
演出画像制御手段１０３は変動パターンコマンドに従って複数種類の背景画像２３の何れかを選択して、演出図柄２２ａ〜２２ｃの背景画像２３を制御し、また予告演出決定手段１０２が予告演出を決定した場合には、演出図柄２２ａ〜２２ｃがリーチになった後の適宜タイミングにおいて、予告演出決定手段１０２により決定された何れかの予告演出パターンに対応する予告演出画像表示パターンに従って画像表示部１６に所定の予告演出画像３７を表示するようになっている。
【００６８】
可動演出制御手段１０４は可動演出役物１９の可動演出体２４の上昇、落下、停止による演出動作を制御するためのもので、予告演出決定手段１０２が予告演出を決定して演出図柄２２ａ〜２２ｃがリーチになる場合に、何れかの予告演出パターンに対応する可動演出パターンに従って可動演出体２４の可動演出動作を制御するようになっている。
【００６９】
可動演出制御手段１０４による可動演出制御には、上昇位置保持手段２８の係合体４３を離脱方向に制御して可動演出体２４を自由落下させる機能、中段落下位置停止手段３０の停止用係合手段７０を係合方向に制御して可動演出体２４を中段落下位置Ｃで停止させる機能、中段落下位置停止手段３０の停止用係合手段７０を離脱方向に制御して可動演出体２４を下段落下位置Ｂへと自由落下させる機能、上昇駆動手段２６を昇降制御して下段落下位置Ｂの可動演出体２４を上昇させる機能と、上昇駆動手段２６を第１中段上昇位置Ｄ、第２中段上昇位置Ｅで停止させる機能、第１中段上昇位置Ｄ、第２中段上昇位置Ｅで上昇用係合体６３を離脱して可動演出体２４を自由落下させる機能等があり、各可動演出パターンではこれらの各制御機能を選択的に組み合わせて、画像表示部１６に表示される予告演出画像３７に同期して可動演出体２４の自由落下から再上昇までの可動演出動作を制御するようになっている。
【００７０】
例えば、第１可動演出パターンでは図１５（ａ）に示すように可動演出体２４が上昇位置Ａから下段落下位置Ｂまで自由落下し、その後に上昇駆動手段２６の上昇速度で可動演出体２４が上昇位置Ａまで上昇する。この第１可動演出パターンでは演出部３４の猿が画像表示部１６に表示される予告演出画像３７の樹木に沿って下まで一気に滑り降りた後、樹木に沿って登る様子を演出することができる。
【００７１】
第２可動演出パターンでは図１５（ｂ）に示すように可動演出体２４が上昇位置Ａから中段落下位置Ｃでの一旦停止を経て自由落下し、その後に可動演出体２４が上昇位置Ａまで上昇する。この第２可動演出パターンでは演出部３４の猿が予告演出画像３７の樹木に沿って途中で一旦停止しながら滑り降り、その後に樹木に沿って登る様子を演出することができる。
【００７２】
第３可動演出パターンでは図１５（ｃ）に示すように可動演出体２４が上昇位置Ａから中段落下位置Ｃまで自由落下し、その後に可動演出体２４が中段落下位置Ｃから上昇位置Ａまで上昇する。この第３可動演出パターンでは演出部３４の猿が予告演出画像３７の樹木に沿って途中まで降り、その後に途中から樹木に沿って上まで登る様子を演出することができる。
【００７３】
第４可動演出パターンでは図１５（ｄ）に示すように可動演出体２４が上昇位置Ａから下段落下位置Ｂまで自由落下し、その後に可動演出体２４が第１中段上昇位置Ｄ，Ｅまで上昇した後、第１中段上昇位置Ｄ，Ｅから中段落下位置Ｃまで自由落下し、その後に中段落下位置Ｃから上昇位置Ａまで上昇する。この第４可動演出パターンでは演出部３４の猿が予告演出画像３７の樹木に沿って下まで一気に滑り降りた後、中間までの上昇、中間からの下降を経て登る様子を演出することができる。
【００７４】
第５可動演出パターンでは図１５（ｅ）に示すように可動演出体２４が上昇位置Ａから下段落下位置Ｂまで自由落下し、その後に可動演出体２４が第２中段上昇位置Ｄ，Ｅまで上昇した後、第２中段上昇位置Ｄ，Ｅから下段落下位置Ｂまで自由落下し、その後に下段落下位置Ｂから上昇位置Ａまで上昇する。この第５可動演出パターンでは演出部３４の猿が予告演出画像３７の樹木に沿って下まで一気に滑り降りた後、中間までの上昇、下段落下位置Ｂまでの下降を経て上まで登る様子を演出することができる。
【００７５】
第６可動演出パターンでは図１５（ｆ）に示すように可動演出体２４が上昇位置Ａから下段落下位置Ｂまで自由落下し、その後に可動演出体２４が下段落下位置Ｂから第１中段上昇位置Ｄ，Ｅまでの上昇、第１中段上昇位置Ｄ，Ｅから下段落下位置Ｂへの自由落下、下段落下位置Ｂから第２中段上昇位置Ｄ，Ｅまでの上昇、第２中段上昇位置Ｄ，Ｅから中段落下位置Ｃへの自由落下を繰り返した後、中段落下位置Ｃから上昇位置Ａまで上昇する。この第６可動演出パターンでは、演出部３４の猿が予告演出画像３７の樹木に沿って下まで一気に滑り降りた後、上昇、落下を２回繰り返しながら登る様子を演出することができる。
【００７６】
可動演出制御手段１０４は昇降駆動モータ６０の回転数等から上昇駆動手段２６の昇降体５７の昇降量を計測して、その可動演出体２４を第１、第２中段上昇位置Ｄ，Ｅで停止させる際の位置を把握するようになっている。
【００７７】
可動演出パターンは可動演出体２４の落下、上昇を適宜組み合わせた他のものでもよい。例えば可動演出体２４の落下動作中の一旦停止と、上昇動作中の一旦停止とを組み合わせてもよい。また可動演出体２４の上昇速度の違いを組み合わせてもよい。第１中段上昇位置Ｄ、第２中段上昇位置Ｅは上昇駆動手段２６の昇降駆動モータ源の回転数等により判定すればよい。
【００７８】
このパチンコ機では、遊技中に次のような制御並びに演出を行う。即ち、特別図柄始動手段１２が遊技球を検出すると、乱数抽選手段９３が乱数値を抽選し、その乱数値が特別遊技乱数値と同じであるか否かにより判定手段９４が特別遊技か否かの判定を行う。そして、判定結果が特別遊技であれば、停止態様決定手段９６が演出図柄２２ａ〜２２ｃの停止態様を決定する。また判定結果が特別遊技であれば、変動パターン決定手段９７が複数種類の特別遊技変動パターンの何れかを選択し、外れであれば、変動パターン決定手段９７が複数種類の外れ変動パターンの何れかを選択する。
【００７９】
続いて特別図柄表示手段２１の特別図柄が変動を開始し、変動パターン決定手段９７で選択された変動パターンにより指定された変動時間だけ変動した後に、判定手段９４での特別遊技、外れの判定結果に応じて特別遊技態様、外れ態様の何れかで停止する。そして、判定手段９４が特別遊技と判定した場合には、特別図柄が特別遊技態様で停止した後に、特別遊技発生手段９９による特別遊技が発生して大入賞手段１３が複数回開放する等、遊技者は有利な状態で遊技を継続できる。
【００８０】
一方、停止態様決定手段９６が演出図柄２２ａ〜２２ｃの停止態様を決定し、変動パターン決定手段９７が演出図柄２２ａ〜２２ｃの変動パターンを決定すると、コマンド送信手段９８が演出制御基板９１側へと夫々のコマンドを送信する。演出制御基板９１側では、変動パターンコマンドを受信すると、演出図柄制御手段１０１の制御により特別図柄の変動開始に同期して演出図柄２２ａ〜２２ｃが変動を開始し、その変動パターンに従って所定時間変動する。
【００８１】
各演出図柄２２ａ〜２２ｃは左、右、中等の順序で停止状態に近い揺れ変動に移行し、変動開始から所定時間が経過したときに停止指令に従って特別遊技演出態様、外れ演出態様の何れかで最終的に停止する。また演出画像制御手段１０３の制御により、図３に示すように演出図柄２２ａ〜２２ｃの背景画像２３が表示される。
【００８２】
例えば、判定手段９４の特別遊技の判定により変動パターン決定手段９７が特別遊技変動パターンの何れかを選択した場合、又は特別遊技変動パターンの変動時間に近い特定のリーチあり外れ変動パターンの何れかを選択した場合には、予告演出決定手段１０２が予告演出を行うか否か、また予告演出を行うとした場合にどの予告演出パターンにするのかを決定する。
【００８３】
そして、予告演出決定手段１０２が予告演出を決定し、また何れかの予告演出パターンを決定すれば、例えば一つの演出図柄２２ｂを除く他の演出図柄２２ａ，２２ｃが同じとなるリーチになったときに、その決定された予告演出パターンに従って図３に示すように画像表示部１６に所定の予告演出画像３７が表示されると共に、この予告演出画像３７の表示に同期して可動演出体２４が上昇位置Ａから下段落下位置Ｂへと自由落下して、変動中の演出図柄２２ａ〜２２ｃを一時的に隠蔽し、その後に可動演出体２４が下段落下位置Ｂから上昇位置Ａへと上昇して演出図面２２ａ〜２２ｃを視認可能にする等、予告演出画像３７と可動演出体２４との組み合わせにより予告演出を行う。
【００８４】
可動演出体２４は通常、図５に示すように上昇位置Ａで上昇位置保持手段２８により固定された状態にある。即ち、可動演出体２４が上昇位置Ａの手前まで達すると、図１０に二点鎖線で示すように可動演出体２４の突部４７が係合体４３の案内部４３ａに接触し、可動演出体２４の上昇に従って係合体４３がバネ４６ａに抗しながら後退する。そして、可動演出体２４が上昇位置Ａに達したときに、図１０に実線で示すように係合体４３がバネ４６ａにより押し戻されて演出体２４の被係合部４２に係合して可動演出体２４を上昇位置Ａに保持する。
【００８５】
このため可動演出体２４が上昇位置Ａまで上昇した後は、予告演出パターンの決定から可動演出体２４の自由落下までの適時に、図１５に示すように、その予告演出パターンの種類に応じて中段落下位置Ｃ又は下段落下位置Ｂの下側まで下降させて待機させることができる。
【００８６】
例えば第１予告演出パターンによる予告を決定した場合には、２個の演出図柄２２ａ，２２ｃが揃ってリーチとなる前の時点に、可動演出制御手段１０４の制御により上昇駆動手段２６の昇降駆動モータ６０が下降方向に起動する。これによって昇降駆動モータ６０が下降方向に回転し、ピニオン５９、ラック５８を介して昇降体５７を下降させる。そして、昇降体５７が下降位置まで下降すると、下降検出手段６８が昇降体５７を検出し、可動演出制御手段１０４が昇降駆動モータ６０を停止させるため、昇降体５７が下降位置で停止し待機状態となる。
【００８７】
その後、演出図柄２２ａ，２２ｃのリーチに同期して、演出画像制御手段１０３の制御により画像表示部１６に予告演出画像３７（図１参照）が表示されると、その表示と同期して図１５（ａ）に示すように可動演出制御手段１０４からの落下指令により、上昇位置保持手段２８の係脱駆動手段４５が連動部材４４を枢軸５１廻りに図９の矢示方向に回動させて係合体４３をバネ４６ａに抗して離脱方向に駆動し、上昇位置保持手段２８による可動演出体２４の上昇位置Ａでの保持を解除する。
【００８８】
これによって十分な自重を有する可動演出体２４は、その自重により第１案内手段２５の案内棒３９に沿って上昇位置Ａから下段落下位置Ｂへと急激に自由落下する。可動演出体２４が下段落下位置Ｂまで落下すると、可動演出体２４の摺動案内部３３が下段落下位置停止手段２９の弾性体４０上に衝突し、その弾性体４０により可動演出体２４の衝撃を吸収しながら可動演出体２４を停止させる。なお、可動演出体２４は下段落下位置Ｂではその演出部３４により演出図柄２２ａ，２２ｃを前側から覆って隠蔽する。
【００８９】
可動演出体２４が下段落下位置Ｂまで落下した後、図１５（ａ）に示すように、可動演出制御手段１０４からの上昇指令により、上昇駆動手段２６の昇降駆動モータ６０が上昇方向に起動する。これによってにピニオン５９、ラック５８を介して昇降体５７が昇降駆動モータ６０の回転速度に応じた上昇速度で下降位置から上昇位置Ａへと上昇し、上昇用係合手段６１を介して可動演出体２４を下段落下位置Ｂから上昇させて行く。
【００９０】
可動演出体２４が上昇位置Ａの手前まで達すると、図１０に二点鎖線で示すように係合体４３の案内部４３ａが可動演出体２４の突部４７に接触して係合体４３がバネ４６ａに抗しながら後退する。そして、可動演出体２４が上昇位置Ａに達したときに、図１０に実線で示すように、その係合体４３が可動演出体２４の被係合部４２に係合して可動演出体２４を上昇位置Ａに保持する。従って、可動演出体２４が上昇位置Ａまで上昇した後は、次の可動演出体２４の自由落下後の上昇に備えて、上昇駆動手段２６を適時に下降位置へと下降させることができる。
【００９１】
予告演出決定手段１０２が第２予告演出パターンでの予告演出を決定した場合には、演出画像制御手段１０３の制御により画像表示部１６に第２予告演出画像パターンで予告演出画像３７が表示される。一方、可動演出制御手段１０４が落下指令、中段落下位置停止指令を略同時又は相前後して出力し、図１５（ｂ）に示すように可動演出体２４が中段落下位置Ｃに達するまでに中段落下位置停止手段３０の停止用係合手段７０を突出させておき、自由落下する可動演出体２４を中段落下位置Ｃで一旦停止させて、その後の落下指令により中段落下位置Ｃから下段落下位置Ｂへと再度自由落下させる。
【００９２】
即ち、中段落下位置停止手段３０の停止用係合手段７０は、通常、図１６（ａ）に示すように後退位置にある。そこで、中段落下位置Ｃで可動演出体２４を停止させる場合には、図１６（ａ）に示すように係脱駆動手段６４が操作体７２を下方へと摺動させる。そのため操作体７２が摺動枠６９と停止用係合手段７０との間に進出して、そのカム部７２ａ、カム従動部７７ｃを介して停止用係合手段７０を枢軸７８廻りに係合方向に揺動させる。これによって図１６（ａ）に二点鎖線で示すように、停止用係合手段７０の係合部７７ａが可動演出体２４の落下空間内に突出した状態で待機する。
【００９３】
その後の落下指令により上昇位置保持手段２８が可動演出体２４から離脱すると、可動演出体２４が案内棒３９に沿って中段落下位置Ｃまで自由落下し、図１６（ｂ）に示すように中段落下位置Ｃで停止用係合手段７０の係合部７７ａ上に係合して可動演出体２４が停止する。このとき停止用係合手段７０の係合部７７ａを介して中段落下位置停止手段３０に衝撃が加わるが、衝撃吸収手段３１のバネ８７が弾性変形してその衝撃を吸収する。このため可動演出体２４を中段落下位置Ｃで円滑に停止させることができる。
【００９４】
中段落下位置Ｃでの可動演出体２４の停止後、図１６（ｃ）に示すように可動演出制御手段１０４の落下指令により中段落下位置停止手段３０の係脱駆動手段６４の駆動により操作体７２が上昇し、そのカム部７２ａが停止用係合手段７０のカム従動部７７ｃから上方に離れて行く。そして、停止用係合手段７０が可動演出体２４の重量により枢軸７８廻りに離脱方向に回動して、その係合部７７ａが可動演出体２４から後方に離脱するため、中段落下位置Ｃから下段落下位置Ｂへと再度自由落下する。
【００９５】
予告演出決定手段１０２が第５予告演出パターンでの予告演出を決定した場合には、演出画像制御手段１０３の制御により画像表示部１６に予告演出画像３７が表示される。一方、可動演出制御手段１０４の自由落下指令により上昇位置保持手段２８が可動演出体２４から離脱して、可動演出体２４が上昇位置Ａから下段落下位置Ｂまで自由落下する。その後、可動演出制御手段１０４の第２中段上昇位置Ｅまでの上昇指令により、上昇駆動手段２６が上昇用係合手段６１を介して可動演出体２４を上昇させる。そして、可動演出体２４が途中の第２中段上昇位置Ｅまで上昇して停止した後、可動演出制御手段１０４の落下指令により上昇用係合手段６１が可動演出体２４から離脱して可動演出体２４が下段落下位置Ｂまで再度落下し、続いて可動演出制御手段１０４の上昇指令により上昇駆動手段２６が上昇用係合手段６１を介して可動演出体２４を下段落下位置Ｂから上昇位置Ａまで再度上昇させる。
【００９６】
このとき可動演出制御手段１０４では昇降駆動モータ６０の回転数の計数等により可動演出体２４の上昇量を把握しており、可動演出体２４が途中の第２中段上昇位置Ｅまで上昇すれば、可動演出制御手段１０４の停止指令により第２中段上昇位置Ｅで昇降駆動モータ６０の回転が止まり可動演出体２４が停止する。そして、その後に可動演出制御手段１０４の落下指令により上昇駆動手段２６の上昇用係合手段６１が離脱して、可動演出体２４が再度下段落下位置Ｂまで落下する。可動演出体２４の上昇中、中段上昇位置Ｅでは上昇用係合手段６１の上昇用係合体６３が可動演出体２４に係合しているが、落下指令により係脱駆動手段６４を離脱方向に駆動することにより、上昇用係合体６３が後退して可動演出体２４が自由落下する。
【００９７】
その後、上昇用係合手段６１の上昇用係合体６３が付勢手段６５により戻った後、下降指令により上昇駆動手段２６が下降位置まで下降する。そして上昇駆動手段２６が下段落下位置Ｂで停止中の可動演出体２４まで達すると、上昇用係合体６３の案内部６３ａが可動演出体２４の摺動案内部３３と接触して、上昇用係合体６３が付勢手段６５に抗して後退するため、上昇駆動手段２６が可動演出体２４の下側へと通過し、その上昇用係合手段６１の上昇用係合体６３が可動演出体２４の摺動案内部３３の下側に係合可能な状態となる。上昇駆動手段２６が可動演出体２４の下側に達すると、可動演出制御手段１０４の上昇指令により上昇駆動手段２６が上昇を開始し、その上昇用係合手段６１を介して可動演出体２４を上昇位置Ａまで所定の速度で上昇させる。
【００９８】
このように可動演出体２４を途中の中段落下位置Ｃで停止させる中段落下位置停止手段３０を設けることにより、可動演出体２４を上昇位置Ａから自由落下させる際に、中段落下位置Ｃで可動演出体２４を一旦停止させて、その後に中段落下位置Ｃから下段落下位置Ｂへと落下させたり、可動演出体２４を上昇位置Ａ又は中間の適当な位置から自由落下させる際に、可動演出体２４を中段落下位置Ｃまで落下させて、その中段落下位置Ｃから上昇位置Ａへと上昇させる演出が可能となり、上昇位置Ａから下段落下位置Ｂまで一気に落下させるだけの従来に比較して、可動演出体２４の自由落下による可動演出に変化を持たせることができる。従って、可動演出体２４の自由落下による可動演出の自由度が向上し、変化に富んだ種々の可動演出を行うことができる。
【００９９】
また可動演出体２４を上昇させる上昇駆動手段２６に、可動演出体２４に対して係脱自在に係合する上昇用係合手段６１を設けて、可動演出体２４を下段落下位置Ｂ、中段落下位置Ｃから上昇させる際に、可動演出体２４が第１中段上昇位置Ｄ又は第２中段上昇位置Ｅまで上昇したときの上昇駆動手段２６の停止、その中段上昇位置Ｄ，Ｅでの上昇用係合手段６１の可動演出体２４の離脱を組み合わせることにより、上昇途中での落下を経て可動演出体２４を上昇させたり、上昇、落下を繰り返しながら上昇させたりすることができる。従って、可動演出体２４の上昇による可動演出に際しても自由度が向上し、変化に富んだ種々の可動演出を行うことができる。
【０１００】
また可動演出体２４の昇降時に、左右両側の第１案内手段２５の案内棒３９により左右の摺動案内部３３を介して左右両側から可動演出体２４を案内するため、可動演出体２４の傾き等を防止しながら円滑に昇降させることができる。上昇駆動手段２６用の第２案内手段２７に、取り付け台３５自体の前面を利用することにより、上昇駆動手段２６の前側への突出を極力小さくでき、全体を小型化することができる。更に上昇駆動手段２６では昇降駆動モータ６０の回転時に第２案内手段２７に反力が加わるが、取り付け台３５の一部を第２案内手段２７に利用することにより、第２案内手段２７によりその反力に十分に対抗することができ、昇降体５７を円滑に昇降させることができる。
【０１０１】
図１７は本発明の第２の実施形態を例示する。この実施形態では、第１の実施形態の中段落下位置停止手段３０を省き、上昇駆動手段２６を可動演出体２４の中段落下位置Ｃでの停止用として兼用するようにしている。
【０１０２】
即ち、上昇位置Ａの可動演出体２４を保持する上昇位置保持手段２８がある場合、可動演出体２４が上昇位置Ａまで達して上昇位置保持手段２８により保持された後は、上昇駆動手段２６を上昇位置Ａ又はその近傍に位置させておく必要はない。そこで、この実施形態では、可動演出体２４を中段落下位置Ｃで停止させる可動演出パターンの場合には、この上昇駆動手段２６を中段落下位置Ｃまで移動させておき、可動演出体２４が中段落下位置Ｃまで落下したときに、上昇用係合手段６１により摺動案内部３３を受け止めて可動演出体２４を停止させるようにしている。
【０１０３】
このように上昇用係合手段６１を有する上昇駆動手段２６を利用して、上昇駆動手段２６を図１７に示すように中段落下位置Ｃで停止させておけば、上昇位置Ａから自由落下する可動演出体２４を中段落下位置Ｃで一旦停止させ、その後に上昇用係合手段６１の係合体６３を可動演出体２４から離脱させることにより下段落下位置Ｂまで自由落下させることができる。
【０１０４】
なお、上昇駆動手段２６の本来の可動演出体２４を上昇させる機能と、上昇駆動手段２６の中段落下位置Ｃで可動演出体２４を停止させる機能とを組み合わせることにより、可動演出体２４を種々の可動演出パターンで動作させることが可能である。また上昇用係合手段６１の上昇用係合体６３に衝撃吸収機能を持たせるようにしてもよい。
【０１０５】
図１８、図１９は本発明の第３の実施形態を例示する。この実施形態の停止用係合手段７０は、枢軸７８の外周に巻装されたつる巻きバネ等のバネ１０７により離脱方向に付勢されており、操作体７２が摺動枠６９と停止用係合手段７０との間から離脱したときに、そのバネ１０７の付勢により枢軸７８廻りに回動して可動演出体２４の摺動案内部３３から離脱するようになっている。なお、停止用係合手段７０はバネ１０７の付勢により退避状態で押え部７５等のストッパー１０８に当接することが望ましい。
【０１０６】
このように停止用係合手段７０は、バネ１０７の付勢により枢軸７８廻りに離脱方向に回動するようにしておけば、可動演出体２４の重量が比較的軽い場合でも、中段落下位置Ｃでの停止を解除して可動演出体２４を速やかに落下させることができる。
【０１０７】
図２０は本発明の第４の実施形態を例示する。この実施形態の中段落下位置停止手段３０では、停止用係合手段７０は可動演出体２４に対して係脱方向に直線的に出退する係合体１１２を有し、その係合体１０２を係脱駆動手段７１により出退駆動するようになっている。
【０１０８】
係合体１１２は先端に可動演出体２４用の係合部１１２ａを有し、摺動枠６９に設けられた保持部材１１３により略水平方向に出退自在に保持されている。係脱駆動手段７１は支軸１１４に連結されたソレノイド７９を有し、その可動鉄心７９ａが連動手段１１５を介して係合体１１２に連動連結されている。連動手段１１５は枢軸１１６により摺動枠６９に枢支されたベルクランク等の連動アーム１１７を有し、連動アーム１１７の一端が連結ピン１１８を介して可動鉄心７９ａに、他端が係合部１１９を介して係合体１１２の係合突部１１２ｂに夫々連結されている。
【０１０９】
この実施形態では、ソレノイド７９により連動アーム１１７を介して係合体１１２を突出位置と後退位置との間で出退駆動する。そして、係合体１１２が突出位置のときに可動演出２４が自由落下してくれば、係合体１１２により可動演出２４が停止する。従って、停止用係合手段７０は、各実施形態に例示の揺動係合体７７式に限定されるものではなく、直線的に出退する係合体１１２を採用する等、係合位置と後退位置との間で出退するものであればよい。
【０１１０】
以上、本発明の各実施形態について詳述したが、本発明はこの各実施形態に限定されるものではなく、本発明の趣旨を逸脱しない範囲で種々の変更が可能である。例えば可動演出体２４は可動演出に供し得るものであれば何でもよい。また実施形態では上昇位置Ａ（退避位置）を退避位置とし、画像表示部１６の前側の下段落下位置（演出位置）Ｂを演出位置としているが、画像表示部１６の前面の上昇位置Ａを演出位置とし、画像表示部１６の下側の下段落下位置Ｂを退避位置としてもよい。この場合には、可動演出体２４は画像表示部１６の下側の下段落下位置Ｂから画像表示部１６の前面の上昇位置Ａへと上昇した後、その上昇位置Ａから下段落下位置Ｂへと自由落下することになる。
【０１１１】
また実施形態では、上昇位置保持手段２６により可動演出体２４を上昇位置Ａに保持して置き、この上昇位置保持手段２６が上昇位置Ａでの可動演出体２４の保持を解除することにより、可動演出体２４を上昇位置Ａから下段落下位置Ｂ又は中段落下位置Ｃへと落下させるようにしているが、上昇用係合手段６１によって可動演出体２４を中段上昇位置Ｄ，Ｅに保持しておき、その上昇用係合手段６１による可動演出体２４の保持を解除することによって、可動演出体２４を中段上昇位置Ｄ，Ｅから下方に自由落下させるようにしてもよい。
【０１１２】
更に可動演出体２４を上昇位置Ａに保持する上昇位置保持手段２６を上下方向に位置変更可能な可動式とし、必要に応じて上昇位置Ａから中段上昇位置Ｄ，Ｅへと移動させる等、上昇位置保持手段２６を上下方向に移動させて、上昇位置Ａ、中段上昇位置Ｄ，Ｅを含む各上昇位置で上昇位置保持手段２６により可動演出体２４を保持しておき、この上昇位置保持手段２６を解除することによって可動演出体２４を自由落下させるようにしてもよい。
【０１１３】
中段落下位置Ｃは上昇位置Ａと下段落下位置Ｂとの中間位置であればよい。中段落下位置Ｃは１箇所でもよいし、上下方向の複数箇所でもよい。また中段上昇位置Ｄ，Ｅも上昇位置Ａと下段落下位置Ｂとの中間位置であればよい。また実施形態では、可動演出体２４を中段落下位置Ｃで停止させる機能と、可動演出体２４を中段上昇位置Ｄ，Ｅで停止させる機能とを併用しているが、その何れか一方のみの機能を有するものでもよい。
【０１１４】
更に可動演出体２４は上昇位置Ａから下段落下位置Ｂへと鉛直方向に直線的に落下させてもよいし、前後方向又は左右方向の傾斜案内手段に沿って自由落下させたり、枢軸１１０廻りに回転しながら落下させたりしてもよい。また可動演出体２４が自由落下する範囲であれば、左右の傾斜方向に落下させてもよい。また各実施形態では、演出位置では可動演出体２４が画像表示部１６の前面に位置する場合を例示しているが、画像表示部１６の前面以外の箇所に可動演出体２４を配置してもよい。
【０１１５】
可動演出体２４を第１案内手段２５により案内し、昇降体５７を第２案内手段２７により案内するようにしているが、案内手段の一部又は全部を両者に共用することも可能である。可動演出役物１９は予告演出以外の演出に利用してもよい。停止用係合手段７０は係脱駆動手段７１によりカム機構を介さずに揺動係合体７７を出退駆動するようにしてもよい。
【０１１６】
上昇駆動手段２６は、取り付け台３５側にラック５８を備え、第２案内手段２７に沿って昇降する昇降体５７側に、ラック５８に噛合するピニオン５９と、このピニオン５９を駆動する昇降駆動モータ６０とを備えて、昇降駆動モータ６０の駆動により昇降体５７が昇降するようにしている。しかし、この上昇駆動手段２６は上下両側の案内輪間に巻き掛けたベルトを昇降体５７に連結し、その一方の案内輪を昇降駆動モータ６０により回転させて昇降体５７を昇降させるようにしてもよい。
【０１１７】
可動演出体２４が自由落下して演出図柄２２ａ〜２２ｃを隠蔽した後に上昇する場合には、その上昇に伴って演出図柄２２ａ〜２２ｃが上昇するようにしてもよい。また本発明はアレンジボール機、雀球遊技機等の他の弾球遊技機、更にはスロットマシン等の各種の遊技機においても同様に実施可能であることは云うまでもない。
【符号の説明】
【０１１８】
１０  画像表示手段
１５  支持枠
１６  画像表示部
２４  可動演出体
２５  第１案内手段
２６  上昇駆動手段
２７  第２案内手段
２８  上昇位置保持手段
３０  中段落下位置停止手段
３１  衝撃吸収手段
５７  昇降体
６１  上昇用係合手段
６３  係合体
６３ａ  案内部
６４  係脱駆動手段
６５  付勢手段
７０  停止用係合手段
７１  係脱駆動手段
７２  操作体
７２ａ  カム部
７７ｃ  カム従動部
Ａ  上昇位置
Ｂ  落下位置
Ｃ  中段落下位置
Ｄ，Ｅ  中段上昇位置
【図１】
0005436629.tif 000002
【図２】
0005436629.tif 000003
【図３】
0005436629.tif 000004
【図４】
0005436629.tif 000005
【図５】
0005436629.tif 000006
【図６】
0005436629.tif 000007
【図７】
0005436629.tif 000008
【図８】
0005436629.tif 000009
【図９】
0005436629.tif 000010
【図１０】
0005436629.tif 000011
【図１１】
0005436629.tif 000012
【図１２】
0005436629.tif 000013
【図１３】
0005436629.tif 000014
【図１４】
0005436629.tif 000015
【図１５】
0005436629.tif 000016
【図１６】
0005436629.tif 000017
【図１７】
0005436629.tif 000018
【図１８】
0005436629.tif 000019
【図１９】
0005436629.tif 000020
【図２０】
0005436629.tif 000021